(57)【特許請求の範囲】
【請求項１】
光ファイバーケーブルのテンションメンバーを互いの側面どうしで挟んで固定する２個の円柱部品を有し、
前記２個の円柱部品の前記テンションメンバーを挟んで固定する側面どうしが離れる方向および接触する方向の両方向に、該２個の円柱部品が移動できるように誘導する誘導手段と、
前記２個の円柱部品を、該２個の円柱部品の前記テンションメンバーを挟んで固定する側面が接触して該テンションメンバーを固定する位置で停止させる停止手段と
を有することを特徴とする光ファイバーケーブルのテンションメンバー固定具。
【請求項２】
光ファイバーケーブルのテンションメンバーを互いの側面どうしで挟んで固定する２個の円柱部品を有し、
前記２個の円柱部品の前記テンションメンバーを挟んで固定する側面どうしが離れる方向および接触する方向の両方向に、該２個の円柱部品が移動できるように誘導する誘導手段と、
外部からの力がかからないときに、前記２個の円柱部品を、該２個の円柱部品の前記テンションメンバーを挟んで固定する側面どうしが接触する方向に移動させる弾性手段と
を有することを特徴とする光ファイバーケーブルのテンションメンバー固定具。
【請求項３】
前記誘導手段が前記２個の円柱部品の端部が挿入されたハの字型の穴を有する部品であることを特徴とする請求項１または２に記載の光ファイバーケーブルのテンションメンバー固定具。
【請求項４】
前記弾性手段がバネであることを特徴とする請求項２に記載の光ファイバーケーブルのテンションメンバー固定具。
【発明の詳細な説明】
【０００１】
【発明の属する技術分野】
本発明は光ファイバーのテンションメンバー固定方法およびテンションメンバー固定具に関する。
【０００２】
【従来の技術】
従来から、光ファイバーとたとえばワイヤのテンションメンバーとを被覆して形成される光ファイバーケーブルが知られている。このような光ファイバーケーブルの固定は、テンションメンバーを固定することによって行われる。
【０００３】
ここで、図面を参照して従来の光ファイバーのテンションメンバー固定方法について説明する。
【０００４】
図１８は、従来の光ファイバーのテンションメンバー固定方法を説明する図であり、（ａ）は光ファイバーケーブルおよびテンションメンバー固定具の構造を示す斜視図、（ｂ）はテンションメンバー固定具によってテンションメンバーを固定した状態を示す斜視図、（ｃ）はテンションメンバーを固定する原理を説明する上面図、（ｄ）は（ｃ）のＡ−Ａ断面図である。
【０００５】
図１８（ａ）〜（ｄ）に示すように、この従来例においては、光ファイバーケーブル１は１本の光ファイバー２と２本のテンションメンバー３とを被覆４で覆って構成される。また、テンションメンバー固定具は、テンションメンバー固定台２０およびネジ２１とから構成される。
【０００６】
まず、光ファイバーケーブル１の被覆４を裂き、光ファイバー２とテンションメンバー３を出す。そして、テンションメンバー固定台２０の円柱部分に開けられた横穴にテンションメンバー３に通し、その円柱部分にネジ２１を上から挿入してテンションメンバー３を固定する。
【０００７】
すなわち、この従来例では、図１８（ｄ）に示すＡ−Ａ断面図のようにネジ２１によってネジ止めすることによって、ネジ２１とテンションメンバー固定台２０とでテンションメンバー３を固定する構造になっている。
【０００８】
【発明が解決しようとする課題】
しかしながら、この図１８（ａ）〜（ｄ）に示した従来の光ファイバーのテンションメンバー固定方法の場合、テンションメンバー３を固定する際、ネジ２１が必要になり、テンションメンバー固定台２０を装置などに取り付けるときにネジ２１での固定が必要になる。このようにネジが増えることは、組立性や操作性が悪くなってしまう。
【０００９】
また、このようなネジを用いた固定の場合、ネジを回すための工具（ドライバー）などが必要となり、いつでも簡単にできるようなものではないという問題があった。
【００１０】
本発明は上記の点にかんがみてなされたもので、手軽で簡単に光ファイバーのテンションメンバーを固定することができる光ファイバーのテンションメンバー固定方法およびテンションメンバー固定具を提供することを目的とする。
【００１１】
【課題を解決するための手段】
本発明は上記目的を達成するために、光ファイバーのテンションメンバーを２個の円柱部品で挟んで固定することを特徴とする。
【００１２】
【発明の実施の形態】
次に、本発明の実施の形態について図面を参照して詳細に説明する。
【００１３】
図１は、本発明による光ファイバーのテンションメンバー固定方法において用いる光ファイバーケーブルの構成の例を示す図であり、（ａ）は光ファイバーが２本、テンションメンバーが１本の場合を示す図、（ｂ）は光ファイバーが１本、テンションメンバーが２本の場合を示す図である。
【００１４】
図１（ａ）を参照すると、この例において光ファイバーケーブル１は、２本の光ファイバー２と１本のテンションメンバー３とを被覆４で覆って構成されている。
【００１５】
また、図１（ｂ）を参照すると、この例において光ファイバーケーブル１は、１本の光ファイバー２と２本のテンションメンバー３とを被覆４で覆って構成されている。
【００１６】
テンションメンバー３はたとえばワイヤーによって構成され、本発明はテンションメンバーを１本以上有する光ファイバーケーブルの固定に適用することができる。
【００１７】
ここで、本発明の概略構成について図２を参照して説明する。
【００１８】
図２は、本発明による光ファイバーのテンションメンバー固定方法の概略を説明するための斜視図である。
【００１９】
本発明は、図２に示すように、光ファイバーケーブル１の先端部分の被覆４をを裂いて光ファイバー２とテンションメンバー３を出した状態にし、ハの字型の穴が空いた２枚の板部品５の間に、円柱に棒が刺さった形状の円柱部品６を２個設け、この円柱部品６の端部の棒の部分を板部品５のハの字型の穴に挿入して円柱部品６がハの字型の穴に沿って動くようにし、円柱部品６がハの字型の穴の間隔が狭いほうに移動することによって２個の円柱部品６の間隔が狭まり、このとき２個の円柱部品６でテンションメンバー３を挟み込むことによってテンションメンバー３を固定する。
【００２０】
次に、図面を参照して本発明の実施の形態をさらに詳細に説明する。
【００２１】
図３は、本発明による光ファイバーのテンションメンバー固定方法の第１の実施の形態におけるテンションメンバー固定具を示す斜視図である。
【００２２】
この第１の実施の形態では、テンションメンバー固定具として、先に図２を参照して説明した板部品５を２枚と、円柱部品６を２個と、さらに留め具部品７ａおよび７ｂを用いる。
【００２３】
板部品５は、前述のように、ハの字型の穴が空いており、その材質はプラスチックでも金属でもよい。
【００２４】
円柱部品６は、前述のように、円柱に棒が刺さった形状をしており、その材質は金属であることが好ましい。
【００２５】
留め具部品７ａおよび７ｂは、互いに対称な形をしており、それぞれ固定部８ａおよび８ｂとストッパ部９ａおよび９ｂとで構成される。固定部８ａおよび８ｂは、後述するように、２枚の板部品の外側に留め具部品７ａおよび７ｂが設けられたときに固定される部分である。ストッパ部９ａおよび９ｂは外側を斜めに切り欠いた形状をしている。
【００２６】
図４は、図３に示した円柱部品６の例の側面図であり、（ａ）は側面がストレートナールの場合の例を示す図、（ｂ）は側面がダイヤモンドナールの場合の例を示す図である。
【００２７】
円柱部品６の円柱部分の側面の形状は、図４（ａ）に示すようにストレートナールすなわち表面に横に渡って直線の溝が彫られているものであってもよいし、図４（ｂ）に示すようにダイヤモンドナールすなわち表面にクロスした溝が彫られているものであってもよい。このように円柱部品６の円柱部分の側面に溝が彫られていることによって、２個の円柱部品６でテンションメンバー３を挟んだときに抜けにくくすることができるという効果がある。
【００２８】
また、この円柱部品６の端部の棒の部分の長さは、板部品５の厚さよりも長く、且つ、板部品５の厚さと留め具部品７ａおよび７ｂのストッパ部９ａおよび９ｂの長さとを合計した長さよりも短く形成される。これは、後述するように、円柱部品６の端部の棒の部分のうち板部品５の厚さを超えて突出した部分を、留め具部品７ａおよび７ｂのストッパ部９ａおよび９ｂに引っ掛けて、円柱部品６を固定するためである。
【００２９】
図５は、図３に示したテンションメンバー固定具を組み上げた状態を示す斜視図である。
【００３０】
図５に示すように、円柱部品６を２個用意して、それぞれの端部の棒の部分を板部品５のハの字型の穴の上の穴と下の穴に入れ、２枚の板部品５によって挟み込む。
【００３１】
留め具部品７ａおよび７ｂは、図５に示すように、２枚の板部品５の外側の、ハの字型の穴の上の穴と下の穴との距離が狭くなっている方にストッパ部９ａおよび９ｂがくるように配置され、固定部８ａおよび８ｂがその位置で固定される。
【００３２】
次に、この第１の実施の形態の動作について説明する。
【００３３】
図６は、本発明の第１の実施の形態におけるテンションメンバー固定具によって、テンションメンバー３を固定した状態を示す斜視図である。
【００３４】
図７は、図５に示したＢ方向からテンションメンバー固定具を見た側面図である。ただし、図７においては、見易さのため留め具部品７ａおよび７ｂを省略して示してある。
【００３５】
図８は、図３に示した留め具部品７ａおよび７ｂの動作原理を説明する図であり、（ａ）は円柱部品６と留め具部品７ａおよび７ｂとの関係を示す斜視図、（ｂ）は円柱部品６と留め具部品７ａおよび７ｂとの関係を示す側面図である。
【００３６】
図９は、図６に示したＣ方向からテンションメンバー固定具を見た上面図である。
【００３７】
図１０は、図６に示したＤ方向からテンションメンバー固定具を見た側面図である。ただし、図１０においては、見易さのため留め具部品７ａおよび７ｂを省略して示してある。
【００３８】
テンションメンバー３を固定する際には、上述のように、光ファイバーケーブル１の被覆４を裂き、光ファイバー２とテンションメンバー３を出す。
【００３９】
テンションメンバー３を固定する際には、円柱部品６を、図７（図５のＢ方向から見た側面図）のように、ハの字型の穴が空いた板部品５の穴に沿って図７の矢印方向に移動させる。
【００４０】
このように円柱部品６が移動すると、図８の（ａ）に示すように、円柱部品６が留め具部品７ａおよび７ｂのストッパ部９ａおよび９ｂの外側すなわち斜めに切り欠いてある部分に接触する。
【００４１】
留め具部品７ａおよび７ｂは、前述のように、下方の固定部８ａおよび８ｂのみが固定されているため、ストッパ部９ａおよび９ｂの斜めに切り欠いてある部分を円柱部品６で押されると図８（ｂ）に示すように両側に広がって、円柱部品６がその広がりを通って図６に示す位置まで移動することができる。
【００４２】
図６の状態から図２の状態に円柱部品６が戻ろうとすると、今度は留め具部品７ａおよび７ｂのストッパ部９ａおよび９ｂの内側の円柱部品６に接触する部分が平らなため（図９（図６のＣ方向から見た上面図）参照）、留め具部品７ａおよび７ｂが図８（ｂ）のように広がらなくなり、円柱部品６の戻りを防ぐことができる。
【００４３】
またこのとき、２個の円柱部品６の間に挿入したテンションメンバー３は、図１０（図６をＤ方向から見た側面図）のように、２個の円柱部品６の円柱部分に挟まって抜けなくなる。
【００４４】
次に、本発明によるテンションメンバー固定方法の別の実施の形態すなわち第２の実施の形態について説明する。
【００４５】
図１１は、本発明による光ファイバーのテンションメンバー固定方法の第２の実施の形態におけるテンションメンバー固定具を示す側面図であり、図７に相当する状態を示す図である。
【００４６】
図１２は、本発明による光ファイバーのテンションメンバー固定方法の第２の実施の形態におけるテンションメンバー固定具を示す側面図であり、図１０に相当する状態を示す図である。
【００４７】
図１３は、本発明による光ファイバーのテンションメンバー固定方法の第２の実施の形態におけるテンションメンバー固定具を示す上面図であり、図９に相当する状態を示す図である。
【００４８】
この第２の実施の形態は、第１の実施の形態で用いた留め具部品７ａおよび７ｂの代わりにバネ１０を用いる以外、そのほかは第１の実施の形態と同様である。すなわち、第２の実施の形態では、縮もうとする作用を有するバネ１０を用いて円柱部品６を固定する。
【００４９】
図１１、図１２および図１３に示すように、バネ１０はその一端を円柱部品６に取り付けられ、多端を板部品５のハの字型の穴の距離が狭いほうの端に取り付けられる。
【００５０】
光ファイバーケーブル１のテンションメンバー３を固定する場合には、図１１に示す位置に２個の円柱部品６を移動させて２個の円柱部品６の間隔を広げ、その間にテンションメンバー３を挿入し、その後に円柱部品６から手を放す。円柱部品６から手を放すと、バネ１０の力で、２個の円柱部品６はその間隔が狭まる方向にハの字型の穴に沿って移動し、図１２の状態になり、テンションメンバー３を固定する。
【００５１】
次に、本発明によるテンションメンバー固定方法のさらに別の実施の形態すなわち第３の実施の形態について説明する。
【００５２】
この第３の実施の形態では、第１の実施の形態で用いた２枚の板部品５の代わりに図１４に示す枠部品１１を用い、第１の実施の形態で用いた留め具部品７ａおよび７ｂの代わりに図１５に示す板バネ１３を用いる構成となっており、そのほかは第１の実施の形態と同様である。すなわち、第３の実施の形態では、広がろうとする作用を有する板バネ１３を用いて円柱部品６を固定する。
【００５３】
図１４は、本発明による光ファイバーのテンションメンバー固定方法の第３の実施の形態におけるテンションメンバー固定具のうちの枠部品１１を示す図であり、（ａ）は上面図、（ｂ）は（ａ）の右方向から見た側面図、（ｃ）は（ａ）の下方向から見た側面図である。
【００５４】
図１５は、本発明による光ファイバーのテンションメンバー固定方法の第３の実施の形態におけるテンションメンバー固定具のうちの板バネ１３を示す図であり、（ａ）は上面図、（ｂ）は（ａ）の右方向から見た側面図、（ｃ）は（ａ）の下方向から見た側面図である。
【００５５】
図１６は、本発明による光ファイバーのテンションメンバー固定方法の第３の実施の形態におけるテンションメンバー固定具を示す上面図であり、図９に相当する状態を示す図である。
【００５６】
図１７は、本発明による光ファイバーのテンションメンバー固定方法の第３の実施の形態におけるテンションメンバー固定具を示す側面図であり、図１０に相当する状態を示す図である。
【００５７】
この第３の実施の形態では、図１４に示すような、板をコの字型に曲げ、中央部分に穴１２を空け、両脇の部分にハの字型の穴を空けた枠部品１１と、図１５に示すような、板をコの字型に曲げ、中央部分に穴１４を空け、中央部分を湾曲させた板バネ１３と、第１の実施例で用いたのと同様の円柱部品６とを用いる。
【００５８】
この第３の実施の形態では、図１６および図１７に示すように、２個の円柱部品６を板バネ１３で押さえて、２個の円柱部品６が離れないようにコの字型の部品である枠部品１１に取り付ける。
【００５９】
テンションメンバー３を固定する際には、円柱部品６を板バネ１３がある方に押してテンションメンバー３を２個の円柱部品６の間に挟み、さらにテンションメンバー３を板バネ１３の穴１４および枠部品１１の穴１２に通す。
【００６０】
その後、円柱部品６から手を放すことで、板バネ１３の力で２個の円柱部品６が押さえつけられてテンションメンバー３が固定される。
【００６１】
【発明の効果】
以上説明したように、本発明によれば、２個の円柱部品６を使用し、テンションメンバー３を入れるときには図７に示したように２個の円柱部品６の間隔が広がった状態で行い、テンションメンバー３を引くときには図１０に示したように２個の円柱部品６によってテンションメンバー３が押しつぶされる方向に力が加わるため、テンションメンバー３を入れるときは入れやすく、引くときは抜きにくく、テンションメンバー３を固定することができる。
【００６２】
また、本発明によれば、ネジを使用しないため、ドライバーなどの工具を使用しなくても、テンションメンバーを固定することができる。
【図面の簡単な説明】
【図１】本発明による光ファイバーのテンションメンバー固定方法において用いる光ファイバーケーブルの構成の例を示す図であり、（ａ）は光ファイバーが２本、テンションメンバーが１本の場合を示す図、（ｂ）は光ファイバーが１本、テンションメンバーが２本の場合を示す図である。
【図２】本発明による光ファイバーのテンションメンバー固定方法の概略を説明するための斜視図である。
【図３】本発明による光ファイバーのテンションメンバー固定方法の第１の実施の形態におけるテンションメンバー固定具を示す斜視図である。
【図４】図３に示した円柱部品６の例の側面図であり、（ａ）は側面がストレートナールの場合の例を示す図、（ｂ）は側面がダイヤモンドナールの場合の例を示す図である。
【図５】図３に示したテンションメンバー固定具を組み上げた状態を示す斜視図である。
【図６】本発明の第１の実施の形態におけるテンションメンバー固定具によって、テンションメンバー３を固定した状態を示す斜視図である。
【図７】図５に示したＢ方向からテンションメンバー固定具を見た側面図である。ただし、図７においては、見易さのため留め具部品７ａおよび７ｂを省略して示してある。
【図８】図３に示した留め具部品７ａおよび７ｂの動作原理を説明する図であり、（ａ）は円柱部品６と留め具部品７ａおよび７ｂとの関係を示す斜視図、（ｂ）は円柱部品６と留め具部品７ａおよび７ｂとの関係を示す側面図である。
【図９】図６に示したＣ方向からテンションメンバー固定具を見た上面図である。
【図１０】図６に示したＤ方向からテンションメンバー固定具を見た側面図である。ただし、図１０においては、見易さのため留め具部品７ａおよび７ｂを省略して示してある。
【図１１】本発明による光ファイバーのテンションメンバー固定方法の第２の実施の形態におけるテンションメンバー固定具を示す側面図であり、図７に相当する状態を示す図である。
【図１２】本発明による光ファイバーのテンションメンバー固定方法の第２の実施の形態におけるテンションメンバー固定具を示す側面図であり、図１０に相当する状態を示す図である。
【図１３】本発明による光ファイバーのテンションメンバー固定方法の第２の実施の形態におけるテンションメンバー固定具を示す上面図であり、図９に相当する状態を示す図である。
【図１４】本発明による光ファイバーのテンションメンバー固定方法の第３の実施の形態におけるテンションメンバー固定具のうちの枠部品１１を示す図であり、（ａ）は上面図、（ｂ）は（ａ）の右方向から見た側面図、（ｃ）は（ａ）の下方向から見た側面図である。
【図１５】本発明による光ファイバーのテンションメンバー固定方法の第３の実施の形態におけるテンションメンバー固定具のうちの板バネ１３を示す図であり、（ａ）は上面図、（ｂ）は（ａ）の右方向から見た側面図、（ｃ）は（ａ）の下方向から見た側面図である。
【図１６】本発明による光ファイバーのテンションメンバー固定方法の第３の実施の形態におけるテンションメンバー固定具を示す上面図であり、図９に相当する状態を示す図である。
【図１７】本発明による光ファイバーのテンションメンバー固定方法の第３の実施の形態におけるテンションメンバー固定具を示す側面図であり、図１０に相当する状態を示す図である。
【図１８】従来の光ファイバーのテンションメンバー固定方法を説明する図であり、（ａ）は光ファイバーケーブルおよびテンションメンバー固定具の構造を示す斜視図、（ｂ）はテンションメンバー固定具によってテンションメンバーを固定した状態を示す斜視図、（ｃ）はテンションメンバーを固定する原理を説明する上面図、（ｄ）は（ｃ）のＡ−Ａ断面図である。
【符号の説明】
１  光ファイバーケーブル
２  光ファイバー
３  テンションメンバー
４  被覆
５  板部品
６  円柱部品
７ａ、７ｂ  留め具部品
８ａ、８ｂ  固定部
９ａ、９ｂ  ストッパ部
１０  バネ
１１  枠部品
１２  穴
１３  板バネ
１４  穴
２０  テンションメンバー固定台
２１  ネジ
【図１】
0003655866.tif 000002
【図２】
0003655866.tif 000003
【図３】
0003655866.tif 000004
【図４】
0003655866.tif 000005
【図５】
0003655866.tif 000006
【図６】
0003655866.tif 000007
【図７】
0003655866.tif 000008
【図８】
0003655866.tif 000009
【図９】
0003655866.tif 000010
【図１０】
0003655866.tif 000011
【図１１】
0003655866.tif 000012
【図１２】
0003655866.tif 000013
【図１３】
0003655866.tif 000014
【図１４】
0003655866.tif 000015
【図１５】
0003655866.tif 000016
【図１６】
0003655866.tif 000017
【図１７】
0003655866.tif 000018
【図１８】
0003655866.tif 000019